(57)【要約】【課題】現状の設定条件で先のデータの記録が実行できないことにより、後続のデータの記録も実行されないような不都合を考慮した記録装置を提供すること。【解決手段】記録装置は、記録データを送信可能な送信装置から記録データを受信する一の記録装置であって、前記送信装置から送信された記録データを受信する受信部と、前記記録データについての記録実行の可否を判定する判定部と、前記記録データに基づいて被記録媒体に対して記録する記録部と、を備え、前記判定部は、順番が先の記録データについての記録実行の可否を判定し（ステップＳ３）、否の場合、順番が後の記録データについての記録実行の可否を判定し（ステップＳ１０、Ｓ３）、可の場合、前記記録部は、前記後の記録データに基づいて記録する（ステップＳ６）構成であることを特徴とする。【選択図】図３
2012116124.tif 000002
【特許請求の範囲】
【請求項１】
記録データを送信可能な送信装置から記録データを受信する一の記録装置であって、
前記送信装置から送信された記録データを受信する受信部と、
前記記録データについての記録実行の可否を判定する判定部と、
前記記録データに基づいて被記録媒体に対して記録する記録部と、を備え、
前記判定部は、順番が先の記録データについての記録実行の可否を判定し、否の場合、順番が後の記録データについての記録実行の可否を判定し、可の場合、前記記録部は、前記後の記録データに基づいて記録する構成である記録装置。
【請求項２】
請求項１に記載の記録装置において、前記受信部は、複数の前記送信装置から記録データを受信する構成である記録装置。
【請求項３】
請求項１または２に記載の記録装置において、前記受信部は、前記記録データについての記録条件のデータをも前記送信装置から受信する構成であり、
前記記録データを受信する前に前記記録条件のデータを受信し、前記判定部は、前記記録条件のデータに基づいて前記記録データについての記録実行の可否を判定し、可の場合、前記送信装置に対して前記記録データの送信を許可し、
否の場合、前記送信装置に対して前記記録データの送信を許可しない構成である記録装置。
【請求項４】
請求項３に記載の記録装置において、前記許可した後、前記送信装置から前記記録データを受信し、前記記録し、記録が完了した場合は、完了した旨を前記送信装置へ通知する構成である記録装置。
【請求項５】
請求項１または２に記載の記録装置において、前記送信装置から受信した記録データを蓄積し、蓄積した順に記録データに基づいて前記記録部が記録を試みる構成である記録装置。
【請求項６】
請求項５に記載の記録装置において、前記記録を試みた後、記録が完了した場合は、完了した旨を通知し、後の記録データに基づいて記録を試み、
記録が不可と判定され未完了の場合は、記録が不可である旨を通知し、後の記録データに基づいて記録を試みる構成である記録装置。
【発明の詳細な説明】
【技術分野】
【０００１】
本発明は、記録データを送信可能な送信装置から記録データを受信して被記録媒体に記録する記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、ネットワーク上の複数の印刷装置に印刷ジョブを割り振って印刷効率を向上させる印刷制御システムがあった。また、分割印刷ジョブを印刷先の印刷装置に分配し、分割印刷ジョブの処理状況および分割印刷ジョブ以外の他の印刷ジョブの処理状況を監視し、監視結果に基づいて印刷完了予測時刻の再演算を行うように構成されていた。そして、演算結果が印刷完了要求時刻を上回ると、再度、受付印刷ジョブの再分割スケジューリングを行うように設けられていた。  
その結果、目標時刻により一層確実に印刷させて、利用性を向上させることができた。
【先行技術文献】
【特許文献】
【０００３】
【特許文献１】特開２００９−１２３１４７号公報
【発明の概要】
【発明が解決しようとする課題】
【０００４】
ところが、前記ネットワークは、印刷装置が複数あることを前提とする構成であり、一つの印刷装置に対してユーザーがそれぞれの要求として印刷ジョブを送る構成ではなかった。  
ここで、一の印刷装置に対して例えばコンピューターから印刷ジョブが送られる構成について検討する。一の印刷装置は、通常、受信した順にただ単に印刷ジョブを印刷する構成である。従って、何も問題がなければ、受信した順に印刷ジョブを印刷することができた。
【０００５】
しかしながら、要求された用紙がセットされていない場合や、要求されたインクが切れている場合があり、係る場合、印刷ジョブが停止する。さらに、他のコンピューターから別の印刷ジョブが送信される場合があり、現状の設定条件で印刷することができる印刷要求（印刷ジョブ）も実行されないような不都合が発生していた。そして、後続の印刷ジョブのデータを送ったユーザーは、無駄な待ち時間を過ごすこととなる。  
例えば、Ａ３、Ａ４サイズの用紙を印刷可能な印刷装置において、先にＡ３サイズでの印刷要求を受け付けたが、Ａ３サイズの用紙が無い場合、あるいは途中で不足した場合、印刷実行はその時点で停止し、Ａ３サイズの用紙が補給されるまで、他のコンピューターからＡ４サイズの用紙での印刷要求があっても実行されず、時間を無駄にする不都合がある。
【０００６】
本発明は、このような状況に鑑み成されたものであり、その課題は、現状の設定条件で先のデータの記録が実行できないことにより、現状の設定条件で記録することができる後続のデータの記録も実行されないような不都合を考慮した記録装置を提供することである。
【課題を解決するための手段】
【０００７】
上記課題を達成するため、本発明の第１の態様の記録装置は、記録データを送信可能な送信装置から記録データを受信する一の記録装置であって、前記送信装置から送信された記録データを受信する受信部と、前記記録データについての記録実行の可否を判定する判定部と、前記記録データに基づいて被記録媒体に対して記録する記録部と、を備え、前記判定部は、順番が先の記録データについての記録実行の可否を判定し、否の場合、順番が後の記録データについての記録実行の可否を判定し、可の場合、前記記録部は、前記後の記録データに基づいて記録する構成であることを特徴とする。
【０００８】
本態様によれば、先の記録データの記録が実行できないことによる無駄な待ち時間を発生させない。言い換えると、現状の設定条件で先の記録データの記録が実行できない場合であっても、現状の設定条件で記録することができる後続の記録データの記録を実行することができる。その結果、記録装置の稼働率・使い勝手が向上する。  
例えば、複数の前記送信装置と一の記録装置とが通信可能に接続されている場合、一の送信装置のユーザーは、他の送信装置のユーザーが該他の送信装置から送信した記録データの内容を知らない。他の送信装置から送られた記録データが先で、一の送信装置から送られた記録データが後であった場合であって、他の送信装置から送られた記録データが実行できないとき、後の記録データについて記録が実行される。
【０００９】
従って、一の送信装置のユーザーは、他の送信装置から送られた記録データが実行できないことによって待たされることがない。その結果、一の送信装置のユーザーにとって利便性がよい。一の送信装置から記録装置までの距離が遠い場合に特に有効である。  
尚、一の記録装置に対して送信装置が一台だけ接続されている構成でも、送信装置のユーザーが交代した場合、一のユーザーは、他のユーザーが送信した記録データの内容を把握していない。係る場合も同様に、一のユーザーは、他のユーザーが送信した記録データが実行できないことによって待たされることがない。
【００１０】
本発明の第２の態様は、第１の態様において、前記受信部は、複数の前記送信装置から記録データを受信する構成であることを特徴とする。  
本態様によれば、第１の態様と同様の作用効果に加え、一の送信装置のユーザーは、他の送信装置から送られた記録データが実行できないことによって待たされることがない。その結果、一の送信装置のユーザーにとって利便性がよい。複数の送信装置が一の記録装置に対して記録データを送信する構成である場合に、記録実行不可による記録データの渋滞が生じやすいので、先の記録データについての記録実行の可否を判定し、否の場合、後の記録データについての記録実行の可否を判定する構成は特に有効である。
【００１１】
本発明の第３の態様は、第１または第２の態様において、前記受信部は、前記記録データについての記録条件のデータをも前記送信装置から受信する構成であり、前記記録データを受信する前に前記記録条件のデータを受信し、前記判定部は、前記記録条件のデータに基づいて前記記録データについての記録実行の可否を判定し、可の場合、前記送信装置に対して前記記録データの送信を許可し、否の場合、前記送信装置に対して前記記録データの送信を許可しない構成であることを特徴とする。
【００１２】
本態様によれば、第１または第２の態様と同様の作用効果に加え、実際の記録データを受信する前段階で事前に可否を判定する。そして、判定結果について返事をする。言い換えると、事前に少量のデータで対話をする構成である。従って、否の場合のデータ伝送量を、事前に対話をしない構成と比較して、小さくできる。その結果、前記判定部のレスポンスをよくすることができ、一の送信装置のユーザーは、記録実行の可否について早い段階で知ることができる。
【００１３】
本発明の第４の態様は、第３の態様において、前記許可した後、前記送信装置から前記記録データを受信し、前記記録し、記録が完了した場合は、完了した旨を前記送信装置へ通知する構成であることを特徴とする。  
本態様によれば、第３の態様と同様の作用効果に加え、一の送信装置のユーザーは、記録が完了した場合、その旨を通知によって確認することができる。
【００１４】
本発明の第５の態様は、第１または第２の態様において、前記送信装置から受信した記録データを蓄積し、蓄積した順に記録データに基づいて前記記録部が記録を試みる構成であることを特徴とする。  
本態様によれば、第１または第２の態様と同様の作用効果に加え、事前に対話をせず、先ず記録データを受信するので、記録実行可の場合、上記第２の態様と比較して、記録開始までの時間を短くすることができる。
【００１５】
本発明の第６の態様は、第５の態様において、前記記録を試みた後、記録が完了した場合は、完了した旨を通知し、後の記録データに基づいて記録を試み、記録が不可と判定され未完了の場合は、記録が不可である旨を通知し、後の記録データに基づいて記録を試みる構成であることを特徴とする。  
本態様によれば、第５の態様と同様の作用効果に加え、一の送信装置のユーザーは、記録が完了したか否かについて、その旨を通知によって確認することができる。
【図面の簡単な説明】
【００１６】
【図１】本実施例のプリンターの概略を示す側面図。
【図２】本実施例のプリンターを含むネットワークの概略を示す図。
【図３】本実施例のプリンターの制御を示す図。
【図４】他の実施例のプリンターの制御を示す図。
【発明を実施するための形態】
【００１７】
以下、本発明の実施の形態を図面に基づいて説明する。  
図１に示すのは、本発明に係る記録装置の一例であるプリンター１の概略を示す側面図である。  
図１に示す如く、本発明に係るプリンター１は、媒体送り手段２と、送り経路と、記録部１１と、排出部１５と、を備えている。
【００１８】
このうち、媒体送り手段２は、被記録媒体の一例である用紙Ｐを送り方向Ｙに送ることができるように設けられている。また、送り経路は、媒体送り手段２等によって送られる用紙Ｐを案内する媒体案内部によって構成されており、用紙Ｐが送られる経路を示す。  
また、記録部１１は、媒体送り手段２によって送られた用紙Ｐに対して記録を実行することができるように構成されている。またさらに、排出部１５は、記録された用紙Ｐを排出し、排出トレイ上（図示せず）に載置することができるように設けられている。
【００１９】
具体的に、媒体送り手段２は、載置部６と、ピックアップローラー３と、アーム部４と、分離手段７と、第１ローラー対９と、第２ローラー対１０と、を備えている。このうち、載置部６は、用紙Ｐが載置されるように設けられている。また、ピックアップローラー３は、モーターの動力によって駆動することができ、載置部６に積層された用紙Ｐのうち、積層方向最上位に用紙Ｐと接触することができるように設けられている。尚、Ｚ軸の矢印が示す方向は積層方向上方である。
【００２０】
またさらに、アーム部４は、送り方向上流側である一端側の揺動軸５を中心に揺動可能に設けられている。そして、送り方向下流側である他端側にピックアップローラー３を回動可能に保持するように構成されている。  
また、分離手段７は、載置部６における用紙Ｐがセットされる箇所より送り方向下流側に設けられている。具体的には、ピックアップローラー３によって送られる用紙Ｐの側視した姿勢に対して傾斜した傾斜面８と有している。そして、用紙Ｐが重送された場合、ピックアップローラー３に対して最上位の用紙Ｐと次位以降の用紙Ｐとを分離することができるように設けられている。所謂、土手分離機構である。  
ここで、「土手分離機構」とは、所定の角度で用紙Ｐが進入するように面を設け用紙Ｐの先端に負荷を与えることにより分離する機構をいう。
【００２１】
またさらに、第１ローラー対９および第２ローラー対１０は、分離手段７を通過した用紙Ｐを記録部１１へ送ることができるように設けられている。このうち、第１ローラー対９は、第１駆動ローラー９ａと、第１従動ローラー９ｂとを有している。  
尚、第１従動ローラー９ｂに代えて回動に所定の負荷を伴う所謂、リタードローラーでもよい。係る場合、土手分離機構での分離が十分でない場合に、重送された用紙Ｐを確実に分離することができる。即ち、第１駆動ローラー９ａと直接的に接触する用紙を、該用紙よりリタードローラー側の用紙から分離することができる。
【００２２】
また、第２ローラー対１０は、送り経路において第１ローラー対９より下流側に設けられている。具体的には、第２ローラー対１０は、第２駆動ローラー１０ａと第２従動ローラー１０ｂとを有している。そして、例えば、ステッピングモーターによって精度よく用紙Ｐを記録部１１へ送ることができるように設けられている。  
尚、用紙Ｐの先端が第２ローラー対１０に到達した際、送り方向Ｙに対する用紙Ｐの姿勢を正す所謂、スキュー取りが実行されるように構成されているのは言うまでもない。
【００２３】
また、記録部１１は、キャリッジ１２と、記録ヘッド１３と、媒体支持部１４と、を備えている。このうち、キャリッジ１２は、用紙Ｐの幅方向Ｘへ延設されたガイド軸（図示せず）に案内されながら幅方向Ｘへ移動するように構成されている。尚、キャリッジ１２は、詳細な説明は省略するが公知のキャリッジ移動手段によって動力が伝達されて幅方向Ｘに移動する。また、記録ヘッド１３は、キャリッジ１２に設けられており、インクを用紙Ｐに対して吐出することができるように設けられている。所謂、インクジェット式の記録である。
【００２４】
またさらに、媒体支持部１４は、記録ヘッド１３と対向する位置に設けられ、用紙Ｐを支持し、用紙Ｐと記録ヘッド１３との間の距離を所定の間隔にすることができるように構成されている。  
また、排出部１５は、第３ローラー対１６と、図示しない排出トレイと、を備えている。第３ローラー対１６は、送り経路において記録部１１より下流側に設けられ、記録された用紙Ｐを排出トレイへ送ることができるように設けられている。
【００２５】
尚、媒体送り手段２の載置部６は、プリンター本体に対して着脱可能な所謂、カセットタイプの構成でもよいし、プリンター本体と一体に形成されている構成でもよい。  
また、媒体送り手段２の載置部６が複数設けられている構成であることが望ましい。複数の種類の用紙Ｐをセットすることができるからである。係る場合、プリンター１は、複数の種類の用紙Ｐから要求に応じて一の種類の用紙Ｐを選択し、記録を実行することができる。
【００２６】
図２に示すのは、本実施例のプリンター１を含むネットワークの概略を示す図である。  
図２に示す如く、本実施例のプリンター１は、記録データを送信する送信機としてのコンピューター（２０〜２２）と接続されている。具体的には、三台のコンピューターとしての第１コンピューター２０〜第３コンピューター２２が、一台のプリンター１と接続されている。尚、コンピューターの数は、三台に限らないのは勿論である。
【００２７】
また、プリンター１は、受信部１７と、判定部１８と、制御部１９と、記録部１１と、を有している。  
このうち、受信部１７は、第１コンピューター２０〜第３コンピューター２２から送信された記録データを受信することができるように設けられている。通信方法は、有線通信、無線通信のいずれでもよい。さらに、受信部１７は、受信した記録データを記憶することができるメモリーを有している。例えば、ＲＡＭ（Random Access Memory）等を挙げることができる。これにより、所定時間、複数の記録データを記憶しておくことができる。
【００２８】
また、判定部１８は、受信した記録データについての記録実行の可否を判定するように設けられている。具体的には、受信した順に記録実行の可否を判定する。そして、一番目の記録データについて、記録を実行することができると判定した場合、制御部１９が記録部１１を制御することにより、一番目の記録データについて記録が実行される。一方、一番目の記録データについて、記録を実行することができないと判定した場合、一番目の記録データについては、記録を実行せず、一旦キャンセルとする、或いは保留とする。  
例えば、要求された用紙サイズ・種類の用紙Ｐが無い場合は記録を実行することができないと判定する。また、カラーモードで記録を実行することが要求されているにも拘わらず、カラーのインクが切れてしまっている場合は記録を実行することができないと判定する。
【００２９】
そして、二番目の記録データについて、記録実行の可否を判定する。ここで、二番目の記録データについて、記録を実行することができると判定した場合、制御部１９が記録部１１を制御することにより、二番目の記録データについて記録が実行される。一方、二番目の記録データについて、記録を実行することができないと判定した場合、記録を実行することができない記録データを一旦キャンセル或いは保留とし、次の記録データについて、記録実行の可否について判定するように構成されている。
【００３０】
従って、ユーザーは、先の記録データについて、記録を実行することができないことにより、後続の記録データについて、記録が実行されず無駄に待たされる虞がない。  
また、記録を実行することができないと判定された場合は、データを送信したコンピューター（２０〜２２）に対して記録を実行することができない旨を通知するように構成されている。この際、実行することができない理由をも通知することが望ましい。ユーザーは用紙切れ等に素早く対応することができ、待ち時間の無駄を無くすことできるからである。
【００３１】
続いて、具体的な制御について説明する。  
図３に示すのは、本実施例のプリンター１の制御を示す図である。  
図３に示す如く、ステップＳ１では、プリンター１の受信部１７が、コンピューター（２０〜２２）から送られた記録条件データを受信する。  
ここで、「記録条件データ」とは、実際の画像データである記録データについての、用紙サイズ、種類、カラーモード、モノクロモード等の記録に関する条件についてのデータをいう。実際の画像データではないので、記録データと比較してデータ量は小さい。そのため、通信が容易であり、かつ、記録実行の可否についての判定も容易である。  
不定期にコンピューター（２０〜２２）から記録条件データが送られてくるので、常に受信部１７は、送られてきた記録条件データを受信することができるように設けられている。そして、記録条件データを一つでも受信すれば、ステップＳ２へ進む。
【００３２】
ステップＳ２では、順番が最先の記録条件データを選択する。受信部１７に複数の記録条件データが記憶されている場合は、受け付けた順に記録実行の可否を判定するべく、最先の記録条件データを選択する。受信した記録条件データが一つである場合は、該記録条件データでよい。そして、記録条件データから、実際の画像データである記録データについての記録実行の可否を判定するべく、ステップＳ３へ進む。
【００３３】
ステップＳ３では、選択した記録条件データから、実際の画像データである記録データについての記録実行の可否を判定する。例えば、要求されている用紙サイズの用紙Ｐがセットされているか否か、要求されているインクが十分にあるか否か等から判定する。記録実行可であると判定した場合、実際の記録データの送付を許可する旨を通知するべく、ステップＳ４へ進む。一方、記録実行不可であると判定した場合、実際の記録データの送付を許可しない旨を通知するべく、ステップＳ９へ進む。
【００３４】
ステップＳ４では、プリンター１から記録条件データの送信元のコンピューター（２０〜２２）へ、記録データの送付を許可する旨を通知する。つまり、記録条件データの送信元のコンピューター（２０〜２２）へ、記録実行可の旨の返事を送信する。すると、記録条件データの送信元のコンピューター（２０〜２２）は、実際の画像データである記録データをプリンター１へ送信する。そして、プリンター１側が記録データを受信するべく、ステップＳ５へ進む。
【００３５】
ステップＳ５では、受信部１７が、記録条件データの送信元のコンピューター（２０〜２２）から送信された記録データを受信する。そして、記録実行するべく、ステップＳ６へ進む。  
ステップＳ６では、受信した記録データに基づいて、制御部１９が記録部１１を制御し、記録を実行する。そして、その結果を通知するべく、ステップＳ７へ進む。  
ステップＳ７では、プリンター１から記録データの送信元のコンピューター（２０〜２２）へ、記録が完了した旨を通知する。つまり、記録データの送信元のコンピューター（２０〜２２）へ、記録が無事に完了した旨の返事を送信する。そして、次の記録条件データの有無を確認するべく、ステップＳ８へ進む。
【００３６】
ステップＳ８では、次の記録に移るために、受信部１７に次の記録条件データがあるか否かを判定する。無い場合はシーケンスを終了する。一方、ある場合は次の記録条件データを選択するべく、ステップＳ１０へ進む。  
ステップＳ９では、プリンター１から記録条件データの送信元のコンピューター（２０〜２２）へ、記録データの送付を許可しない旨を通知する。つまり、記録条件データの送信元のコンピューター（２０〜２２）へ、記録実行不可の旨の返事を送信する。そして、次の記録条件データの有無を確認するべく、ステップＳ８へ進む。
【００３７】
尚、この際、許可しない理由をも併せて送信することが望ましい。例えば、要求されている用紙サイズの用紙Ｐが無い旨や、要求されているインクが十分にない旨を送信する。これにより、ユーザーが用紙Ｐの補充、インクカートリッジの交換等の対応をすることができるからである。また、対応することにより、記録データの送付が許可され、記録データに基づいて記録実行が可能となるからである。
【００３８】
ステップＳ１０では、次の記録条件データを選択する。そして、記録実行の可否を判定するべく、ステップＳ３へ戻り、判定や通知等の動作を繰り返す。  
尚、要求されているだけの枚数の用紙Ｐがセットされているか否か、記録実行の可否として判定してもよいし、判定しなくてもよい。例えば、途中で用紙切れとなった場合、一旦そこで記録要求を解除して、次の記録データについての記録実行の可否の判定する構成としてもよい。
【００３９】
以上、説明したように、先の記録データについての記録実行の可否を、先に受信した記録条件データから判定し、否の場合、後の記録データについての記録実行の可否を、後に受信した記録条件データから判定するようにプリンター１は構成されている。そして、後の記録データについて記録を実行することができると判定した場合、先の記録データについては一旦キャンセル或いは保留とし、後の記録データについての記録が実行される。言い換えると、現状の設定条件で先の記録データの記録が実行できないこと場合であっても、現状の設定条件で記録することができる後続の記録データの記録を実行することができる。
【００４０】
従って、先の記録データについて記録を実行することができないことによるデータの渋滞が生じる虞がない。先の記録条件データを送信したコンピューター（２０〜２２）のユーザーと、後の記録条件データを送信したコンピューター（２０〜２２）のユーザーとが異なる場合、後の記録条件データを送信したコンピューター（２０〜２２）のユーザーが無駄な待ち時間を過ごす虞がない。
【００４１】
また、本実施例では、コンピューター（２０〜２２）が記録データを送信する前段階において、予め記録条件データをプリンター１へ送信する。そして、プリンター１が記録条件データから、記録データについての記録実行の可否を判定する。前述したように、記録条件データのデータ量は、記録データのデータ量より遙かに小さい。従って、通信時間が短くて済む。また、プリンター１側は、記録実行の可否を容易に判定することができる。
【００４２】
尚、本実施例では、複数のコンピューター（２０〜２２）から一のプリンター１に対して記録データが送られるネットワークとして説明したが、これに限らない。コンピューターの数が一つでも本発明は成立する。一のプリンター１に対してコンピューターが一台だけ接続されている構成でも、コンピューターのユーザーが交代した場合、一のユーザーが送信した記録条件データを、他のユーザーは把握していない。そのため、先の記録データについて記録を実行することができないことによるデータの渋滞問題が生じるからである。
【００４３】
本実施例の記録装置であるプリンター１は、記録データを送信可能な送信装置としてのコンピューター（２０〜２２）から記録データを受信する一のプリンター１であって、コンピューター（２０〜２２）から送信された記録データを受信する受信部１７と、記録データについての記録実行の可否を判定する判定部１８と、判定部１８が可と判定した場合、記録データに基づいて被記録媒体に対して記録する記録部１１と、を備え、判定部１８は、順番が先の記録データについての記録実行の可否を判定し（ステップＳ１、Ｓ２、Ｓ３）、否の場合、順番が後の記録データについての記録実行の可否を判定し（ステップＳ９、Ｓ８、Ｓ１０、Ｓ３）、可の場合、記録部１１は、前記後の記録データに基づいて記録する（ステップＳ４、Ｓ５）構成であることを特徴とする。
【００４４】
また、本実施例において、受信部１７は、複数のコンピューター（２０〜２２）から記録データを受信する構成であることを特徴とする。  
またさらに、本実施例において、受信部１７は、記録データについての記録条件のデータをもコンピューター（２０〜２２）から受信する構成であり、記録データを受信する（ステップＳ５）前に前記記録条件のデータを受信し（ステップＳ１）、判定部１８は、前記記録条件のデータに基づいて前記記録データについての記録実行の可否を判定し（ステップＳ３）、可の場合、コンピューター（２０〜２２）に対して前記記録データの送信を許可し（ステップＳ４）、否の場合、コンピューター（２０〜２２）に対して前記記録データの送信を許可しない（ステップＳ９）構成であることを特徴とする。
【００４５】
また、本実施例において、前記許可した（ステップＳ４）後、コンピューター（２０〜２２）から前記記録データを受信し（ステップＳ５）、前記記録し（ステップＳ６）、記録が完了した場合は、完了した旨をコンピューター（２０〜２２）へ通知する（ステップＳ７）構成であることを特徴とする。
【００４６】
［他の実施例］
続いて、他の実施例について説明する。他の実施例の構成は、先の記録データについての記録実行（記録完了）することができない場合、後の記録データについて記録実行を試みる点は前述した実施例の構成と共通するが、予め記録条件データを送信しない点で異なる。尚、前述した構成と同様であるものについては、同じ符号を用いることとし、その説明は省略する。
【００４７】
図４に示すのは、他の実施例のプリンター１の制御を示す図である。  
図４に示す如く、ステップＳ１１では、受信部１７がコンピューター（２０〜２２）から記録データを受信し、メモリーに蓄積する。不定期にコンピューター（２０〜２２）から記録データが送られてくるので、常に受信部１７は、送られてきた記録データを受信することができるように設けられている。そして、記録データを一つでも受信すれば、ステップＳ１２へ進む。
【００４８】
ステップＳ１２では、順番が最先の記録データを選択する。受信部１７に複数の記録データが記憶されている場合は、受け付けた順に記録実行を試みるべく、最先の記録データを選択する。受信した記録データが一つである場合は、該記録データでよい。そして、記録データに基づいて記録実行を試みるべく、ステップＳ１３へ進む。  
ステップＳ１３では、選択した記録データについて記録実行を試みる。そして、その結果を確認するべく、ステップＳ１４へ進む。
【００４９】
ステップＳ１４では、記録実行を試みた結果として、記録が完了したか否かを判定部１８が判定する。要求通りに記録を完了することができた場合、その結果を通知するべく、ステップＳ１５へ進む。一方、要求通りに記録を完了することができなかった場合、その結果を通知するべく、ステップＳ１７へ進む。例えば、要求された用紙サイズの用紙Ｐが無い場合、インク切れの場合等は記録を完了することができない。
【００５０】
ステップＳ１５では、プリンター１から記録データの送信元のコンピューター（２０〜２２）へ、記録が完了した旨を通知する。つまり、記録データの送信元のコンピューター（２０〜２２）へ、記録が無事に完了した旨の返事を送信する。そして、次の記録データの有無を確認するべく、ステップＳ１６へ進む。  
ステップＳ１６では、次の記録に移るために、受信部１７に次の記録データがあるか否かを判定する。無い場合はシーケンスを終了する。一方、ある場合は次の記録データを選択するべく、ステップＳ１８へ進む。
【００５１】
ステップＳ１７では、プリンター１から記録データの送信元のコンピューター（２０〜２２）へ、記録が完了しなかった旨を通知する。つまり、記録データの送信元のコンピューター（２０〜２２）へ、何らかの原因により記録が完了しなかった旨の返事を送信する。また、完了しなかった記録データに対して未完了の印を付け、次の記録データの有無を確認するべく、ステップＳ１６へ進む。
【００５２】
尚、この際、完了しなかった理由をも併せて送信することが望ましい。例えば、要求されている用紙サイズの用紙Ｐが無い旨や、要求されているインクが十分にない旨を送信する。これにより、ユーザーが用紙Ｐの補充、インクカートリッジの交換等の対応をすることができるからである。また、対応することにより、プリンター１が記録完了しなかった記録データについての記録実行環境が整ったことを検出することができた場合、完了しなかった記録データについて、最初から或いは中断後の再開位置から再実行することができるからである。
【００５３】
ステップＳ１８では、次の記録データを選択する。そして、記録実行を試みるべく、ステップＳ１３へ戻り、判定や通知等の動作を繰り返す。  
以上、説明したように、他の実施例では、先の記録データについての記録を完了することができないと判定した場合、後の記録データについて記録実行を試みる。従って、前述した実施例と同様、現状の設定条件で先の記録データの記録が実行できないこと場合であっても、現状の設定条件で記録することができる後続の記録データの記録を実行することができる。その結果、後の記録データを送信したコンピューター（２０〜２２）のユーザーが無駄な待ち時間を過ごす虞がない。  
また、プリンター１とコンピューター（２０〜２２）との間で対話せずに、先ず記録データを受信し記録実行を試みるので、前述した実施例の構成と比較して、記録開始までの時間を短くすることができる。
【００５４】
他の実施例において、コンピューター（２０〜２２）から受信した記録データを蓄積し（ステップＳ１１）、蓄積した順に記録データに基づいて記録部１１が記録を試みる（ステップＳ１３）構成であることを特徴とする。  
また、他の実施例において、前記記録を試みた（ステップＳ１３）後、記録が完了した（ステップＳ１４）場合は、完了した旨を通知し（ステップＳ１５）、後の記録データに基づいて記録を試み（ステップＳ１６、Ｓ１８、Ｓ１３）、記録が不可と判定され未完了の場合は、記録が不可である旨を通知し（ステップＳ１７）、後の記録データに基づいて記録を試みる（ステップＳ１６、Ｓ１８、Ｓ１３）構成であることを特徴とする。
【００５５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５６】
１  プリンター、２  媒体送り手段、３  ピックアップローラー、４  アーム部、
５  揺動軸、６  載置部、７  分離手段、８  傾斜面、９  第１ローラー対、
９ａ  第１駆動ローラー、９ｂ  第１従動ローラー、１０  第２ローラー対、
１０ａ  第２駆動ローラー、１０ｂ  第２従動ローラー、１１  記録部、
１２  キャリッジ、１３  記録ヘッド、１４  媒体支持部、１５  排出部、
１６  第３ローラー対、１７  受信部、１８  判定部、１９  制御部、
２０  第１コンピューター、２１  第２コンピューター、２２  第３コンピューター、
Ｐ  用紙、Ｘ  幅方向、Ｙ  送り方向、Ｚ  積層方向（鉛直方向）
【図１】
2012116124.tif 000003
【図２】
2012116124.tif 000004
【図３】
2012116124.tif 000005
【図４】
2012116124.tif 000006